(57)【要約】【課題】一方向に配列する複数の蓄電ユニットと、蓄電ユニット間に配置されると共に内部を冷媒が流れる冷却板とを備えた蓄電装置において、温度センサを所望位置に配置することが簡単な蓄電装置を提供する。【解決手段】蓄電装置は、一方向に向けて配列する複数の蓄電ユニット５７と、蓄電ユニット５７の間に配置されており、内部に形成された冷却通路内を冷媒が流れることで隣り合う蓄電ユニット５７を冷却すると共に、隣り合う蓄電ユニット５７を電気的に接続する導電性の冷却板５８Ａ〜５８Ｉと、冷却板５８Ａ〜５８Ｉに設けられた温度センサ８７Ａ〜８７Ｉとを備え、冷却板５８Ａ〜５８Ｉには、温度センサ８７Ａ〜８７Ｉを収容する収容部８８が形成された。【選択図】図５
2019216004.tif 000002
【特許請求の範囲】
【請求項１】
一方向に向けて配列する複数の蓄電ユニットと、
前記蓄電ユニットの間に配置されており、冷媒が流通可能に形成されると共に隣り合う前記蓄電ユニットを電気的に接続する導電性の冷却板と、
前記冷却板に設けられた温度センサと、
を備え、
前記冷却板には、前記温度センサを収容する収容部が形成された、蓄電装置。
【発明の詳細な説明】
【技術分野】
【０００１】
本開示は、蓄電装置に関する。
【背景技術】
【０００２】
特開２０１１−１５１０１６号公報に記載されたバイポーラ電池は、積層された複数のバイポーラ電極と、各バイポーラ電極の外周縁部に形成された樹脂部とを含む。
【０００３】
そして、特開２０１１−１５１０１６号公報には、上記のバイポーラ電池をハイブリッド車両、電気自動車および燃料電池車両などの蓄電装置として採用する場合には、複数のバイポーラ電池を直列に接続することが記載されている。
【先行技術文献】
【特許文献】
【０００４】
【特許文献１】特開２０１１−１５１０１６号公報
【発明の概要】
【発明が解決しようとする課題】
【０００５】
複数のバイポーラ電池を電気的に接続する場合において、各バイポーラ電池を一方向に配列させて、隣り合うバイポーラ電池の間に金属板を配置することで、隣り合うバイポーラ電池を電気的に接続することが考えられる。
【０００６】
上記のように複数のバイポーラ電池が電気的に接続された蓄電装置において、電力の充放電時に、各バイポーラ電池が発熱して、蓄電装置の温度が上昇する。
【０００７】
蓄電装置の充放電は、蓄電装置内の化学反応であり、蓄電装置内の化学反応速度は、蓄電装置の温度による影響が大きく、さらに、蓄電装置の温度が高すぎる場合には蓄電装置の劣化を招く。そこで、蓄電装置を冷却するために、金属板に冷却通路を形成して、冷媒を冷却通路内に流すことで蓄電装置を冷却することが考えられる。
【０００８】
さらに、蓄電装置の温度を測定する温度センサを蓄電装置に設けることが考えられる。蓄電装置の表面は外気に触れているため、蓄電装置の表面温度は蓄電装置の内部温度よりも低くなり易い。そのため、蓄電装置の温度は、位置によって温度がばらつくため、温度センサを蓄電装置内の予め決められた所望位置に配置する必要が生じる。
【０００９】
しかし、バイポーラ電池などの蓄電ユニットを積層した後に、温度センサを蓄電装置の外側から蓄電装置内に挿入しようとすると、蓄電装置内の所望位置に温度センサを正確に配置することは困難である。
【００１０】
本開示は、上記のような課題に鑑みてなされたものであって、その目的は、一方向に配列する複数の蓄電ユニットと、蓄電ユニット間に配置されると共に内部を冷媒が流れる冷却板とを備えた蓄電装置において、温度センサを所望位置に配置することが簡単な蓄電装置を提供することである。
【課題を解決するための手段】
【００１１】
本開示に係る蓄電装置は、一方向に向けて配列する複数の蓄電ユニットと、蓄電ユニットの間に配置されており、冷媒が流通可能に形成されると共に隣り合う蓄電ユニットを電気的に接続する導電性の冷却板と、冷却板に設けられた温度センサとを備える。上記冷却板には、温度センサを収容する収容部が形成されている。
【００１２】
上記の蓄電装置によれば、冷却板の収容部に温度センサを配置することで簡単に温度センサを冷却板に装着することができ、温度センサを所望位置に配置することができる。さらに、予め、温度センサを冷却板に取り付けておき、この冷却板と、蓄電ユニットとを順次積層することで蓄電装置を作成することができ、蓄電装置の作成の簡素化も図ることができる。
【発明の効果】
【００１３】
本開示に係る蓄電装置によれば、一方向に配列する複数の蓄電ユニットと、蓄電ユニット間に配置されると共に内部を冷媒が流れる冷却板とを備えた蓄電装置において、蓄電装置の作成の簡素化を図ることができる。
【図面の簡単な説明】
【００１４】
【図１】蓄電モジュール１およびその周囲の構成を示す斜視図である。
【図２】蓄電装置３を示す分解斜視図である。
【図３】蓄電スタック２５を示す分解斜視図である。
【図４】蓄電ユニット５７を示す断面図である。
【図５】長側面１４側から視たときの蓄電スタック２５および長側板３４を示す側面図である。
【図６】蓄電装置３を示す断面図であり、冷却板５８Ｅを通る位置における断面図である。
【図７】冷却板５８Ｅを模式的に示す斜視図である。
【図８】冷却板５８Ｅを模式的に示す分解斜視図である。
【図９】冷却板５８の第１変形例である冷却板２００を模式的に示す斜視図である。
【図１０】冷却板２００が配置された蓄電スタック２５Ａの一部を模式的に示す側面図である。
【図１１】冷却板の第２変形例である冷却板３００を模式的に示す分解斜視図である。
【図１２】冷却板３００を模式的に示す側面図である。
【図１３】冷却板３００が配置された蓄電スタック２５Ｂの一部を示す側面図である。
【発明を実施するための形態】
【００１５】
図１から図１３を用いて、本実施の形態に係る蓄電装置について説明する。図１から図１３に示す構成のうち、同一または実質的に同一の構成については、同一の符号を付して重複した説明を省略する。なお、実施の形態に示す構成において、請求項に記載された構成に対応する構成には、括弧書きで請求項の構成を併記する場合がある。
【００１６】
図１は、蓄電モジュール１およびその周囲の構成を示す斜視図である。本実施の形態に係る蓄電モジュール１は、車両のフロアパネル１００の上面に設けられている。
【００１７】
蓄電モジュール１は、ベース板２と、蓄電装置３と、送風機４と、冷却ダクト５と、ジャンクションボックス６と、監視ユニット７とを備える。
【００１８】
ベース板２は、フロアパネル１００の上面に固定されている。蓄電装置３は、略直方体形状に形成されている。蓄電装置３は、下面１０と、上面１１と、端側面１２および端側面１３と、長側面１４，１５とを含む。端側面１２および端側面１３は、蓄電装置３の長手方向Ｌに配列しており、長側面１４および長側面１５は、蓄電装置３の幅方向Ｗに配列している。
【００１９】
送風機４およびジャンクションボックス６は、蓄電装置３の端側面１２側に設けられている。ジャンクションボックス６は、送風機４および蓄電装置３の間に配置されている。
【００２０】
送風機４は、中空状のケース８と、ケース８内に収容されたファン９とを含む。ケース８には、吸気口８ａおよび供給口８ｂが形成されている。供給口８ｂは蓄電装置３の端側面１２に向けて開口している。
【００２１】
冷却ダクト５の一端は送風機４の供給口８ｂに接続されており、冷却ダクト５の他端は蓄電装置３の端側面１２に接続されている。なお、供給口８ｂは、ジャンクションボックス６よりも上方に位置しており、冷却ダクト５は、ジャンクションボックス６の上方を通って、蓄電装置３に接続されている。
【００２２】
そして、ファン９が駆動することで、吸気口８ａから空気が吸入され、供給口８ｂおよび冷却ダクト５を通して、冷却風が蓄電装置３内に供給される。
【００２３】
蓄電装置３の端側面１２には、電力端子１６および電力端子１７が設けられている。電力端子１６には電力配線１８が接続されており、電力端子１７には電力配線１９が接続されている。電力配線１８，１９は、ジャンクションボックス６に接続されている。
【００２４】
監視ユニット７は、蓄電装置３の端側面１３側に配置されており、監視ユニット７には、複数の配線２０が接続されている。
【００２５】
図２は、蓄電装置３を示す分解斜視図である。蓄電装置３は、蓄電スタック２５と、蓄電ケース２６と、絶縁部材２７，２８とを含む。
【００２６】
蓄電ケース２６は、蓄電スタック２５および絶縁部材２７，２８を内部に収容している。蓄電ケース２６は、底板３０と、天板３１と、端側板３２，３３と、長側板３４，３５とを含む。図１および図２において、底板３０は、蓄電装置３の下面１０に配置されており、天板３１は上面１１に配置されている。端側板３２，３３は、端側面１２，１３に配置されており、長側板３４，３５は、長側面１４，１５に配置されている。なお、底板３０、天板３１、端側板３２，３３および長側板３４，３５は、鉄などによって形成されている。
【００２７】
図２に戻って、端側板３２の側面には複数の開口部４０が形成されている。なお、複数の開口部４０のうち、最も長側板３４側に位置する開口部４０Ａには、図１に示す冷却ダクト５が挿入されている。端側板３３にも複数の開口部４１が形成されており、長側板３５にも複数の開口部４３が形成されている。長側板３４には、１つの開口部４２が形成されており、この開口部４２は、端側板３３の近傍に形成されている。
【００２８】
底板３０および天板３１は板状に形成されている。底板３０および天板３１は、複数のボルト４５，４６によって、端側板３２，３３および長側板３４，３５に固定されている。
【００２９】
絶縁部材２７は、底板３０の上面に設けられており、絶縁部材２８は、天板３１の下面に設けられている。蓄電スタック２５は、絶縁部材２７および絶縁部材２８の間に配置されており、絶縁部材２７，２８によって、蓄電スタック２５と、底板３０および天板３１との間の絶縁性が確保されている。
【００３０】
蓄電スタック２５は、略直方体形状に形成されている。蓄電スタック２５は、下面６０と、上面６１と、端側面６２，６３と、長側面６４，６５とを含む。電力端子１６，１７は、端側面６２に形成されている。
【００３１】
図３は、蓄電スタック２５を示す分解斜視図である。蓄電スタック２５は、集電板５５，５６と、複数の蓄電ユニット５７と、複数の冷却板５８とを含む。
【００３２】
集電板５５は、蓄電スタック２５の下面６０に配置されており、集電板５６は、蓄電スタック２５の上面６１に配置されている。集電板５５および集電板５６は、板状に形成されている。電力端子１６は、端側面６２側に位置する集電板５５の辺部に接続されている。電力端子１７は、集電板５６の外周辺のうち端側面６２側に位置する辺部に接続されている。
【００３３】
高さ方向Ｈに配列する複数の蓄電ユニット５７および冷却板５８が集電板５５および集電板５６の間に配置されている。
【００３４】
複数の蓄電ユニット５７が高さ方向（一方向）Ｈに間隔をあけて配列しており、各蓄電ユニット５７の間に冷却板５８が配置されている。さらに、冷却板５８は、集電板５５の上面に配置されると共に、集電板５６の下面に配置されている。冷却板５８は、アルミニウムや銅などの金属によって形成されており、高さ方向Ｈに隣り合う蓄電ユニット５７を電気的に直列に接続している。
【００３５】
図４は、蓄電ユニット５７を示す断面図である。蓄電ユニット５７は、複数のバイポーラ電極板７５と、枠体７６と、複数のセパレータ８３とを含む。バイポーラ電極板７５は、高さ方向Ｈに間隔をあけて配置されており、各バイポーラ電極板７５の間にセパレータ８３が配置されている。
【００３６】
各バイポーラ電極板７５は、電極板７７と、正極層７８と、負極層７９とを含む。電極板７７は、ニッケルなどの金属材料によって形成されている。負極層７９は負極活物質を含み、負極活物質としては水素吸着合金などが採用される。正極層７８は、正極活物質を含み、正極活物質としては、水酸化ニッケルなどが採用される。電極板７７の外周縁部８０は、正極層７８および負極層７９が形成されていない未塗布部とされている。
【００３７】
枠体７６は、枠体８１および枠体８２を含む。枠体８１は、電極板７７の外周縁部８０を覆うように形成されており、枠体８１は外周縁部８０に沿って環状に形成されている。
【００３８】
枠体８１は、各電極板７７に設けられており、複数の枠体８１が高さ方向Ｈに配列している。そして、枠体８２は、蓄電ユニット５７の上端側に位置する枠体８１に係合すると共に、蓄電ユニット５７の下端側に位置する枠体８１に係合している。さらに、枠体８２は、積層された枠体８１の周面を覆うように形成されている。
【００３９】
セパレータ８３は、シート状に形成されている。セパレータ８３は、たとえば、ポリオレフィン系樹脂から形成された多孔質フィルム等からなる織布および不織布等から形成されている。
【００４０】
上記のように構成された蓄電ユニット５７において、高さ方向Ｈに隣り合う電極板７７と、枠体８１とによって、収容空間８４が形成されている。
【００４１】
この収容空間８４内には、セパレータ８３と、正極層７８と、負極層７９と、図示されていない電解液が配置されている。電解液はたとえば、水酸化カリウム水溶液などのアルカリ溶液などである。
【００４２】
そして、セパレータ８３と、負極層７９と、正極層７８と、電解液とによって蓄電セル８５が形成されている。蓄電セル８５は、高さ方向Ｈに複数配列しており、各蓄電セル８５は、電極板７７によって直列に接続されている。
【００４３】
図５は、長側面１４側から視たときの蓄電スタック２５および長側板３４を示す側面図である。なお、図５において、長側板３４の一部は省略されている。
【００４４】
蓄電スタック２５の各冷却板５８Ａ，５８Ｂ，５８Ｃ，５８Ｄ，５８Ｅ，５８Ｆ，５８Ｇ，５８Ｈ，５８Ｉには、端側面６２側から端側面６３側に向けて複数の冷却通路８８が形成されている。冷却通路８８の一方の開口部は、長側面６４に位置しており、他方の開口部は長側面６５に位置している。
【００４５】
各冷却板５８Ａ，５８Ｂ，５８Ｃ，５８Ｄ，５８Ｅ，５８Ｆ，５８Ｇ，５８Ｈ，５８Ｉには、温度センサ８７Ａ，８７Ｂ，８７Ｃ，８７Ｄ，８７Ｅ，８７Ｆ，８７Ｇ，８７Ｈ，８７Ｉが挿入されており、各温度センサ８７Ａ，８７Ｂ，８７Ｃ，８７Ｄ，８７Ｅ，８７Ｆ，８７Ｇ，８７Ｈ，８７Ｉには配線２０が接続されている。各配線２０は、各冷却通路８８から長側面６４に引き出されており、その後、端側面６２側から端側面６３側に向けて延びている。そして、長側板３４の開口部４２から引き出されている。
【００４６】
図６は、蓄電装置３を示す断面図であり、冷却板５８Ｅを通る位置における断面図である。蓄電スタック２５は、蓄電ケース２６から間隔をあけて配置されており、蓄電スタック２５の長側面６４と、長側板３４の内壁面との間に隙間が形成されている。そして、端側板３２の開口部４０Ａに挿入された冷却ダクト５から冷却風Ｃが上記の隙間に供給されている。このように、蓄電スタック２５の長側面６４および長側板３４の間に形成された隙間は、通風路９０として機能する。冷却ダクト５から通風路９０内に供給された冷却風Ｃは、長側面６４に位置する冷却通路８８の開口部から冷却通路８８内に入り込む。
【００４７】
冷却通路８８内を冷却風Ｃが流れることで、冷却板５８と高さ方向Ｈに隣り合う蓄電ユニット５７が冷却される。そして、冷却風Ｃは、長側面６５側の開口部から吹き出し、長側板３５の開口部４３などから蓄電装置３の外部に排気される。
【００４８】
図７は、冷却板５８Ｅを模式的に示す斜視図であり、図８は、冷却板５８Ｅを模式的に示す分解斜視図である。
【００４９】
冷却板５８Ｅは、主板９１Ｅおよび閉塞板９２Ｅを含む。主板９１Ｅは、底板９３Ｅと、側壁９４Ｅ，９５Ｅと、複数の区画壁９６Ｅとを含む。底板９３Ｅは、略長方形形状に形成されている。
【００５０】
底板９３Ｅの外周縁部は、長手方向Ｌに配列する２つの長辺９７Ｅ，９８Ｅを含み、各長辺９７Ｅ，９８Ｅは幅方向Ｗに延びるように形成されている。
【００５１】
側壁９４Ｅは長辺９７Ｅに接続されており、長辺９７Ｅから上方にむけて延びるように形成されている。
【００５２】
同様に、側壁９５Ｅは、長辺９８Ｅに接続されており、長辺９８Ｅから上方に向けて延びるように形成されている。
【００５３】
複数の区画壁９６Ｅは、底板９３Ｅの上面に形成されており、側壁９４Ｅおよび側壁９５Ｅの間において、長手方向Ｌに間隔をあけて形成されている。なお、各側壁９４Ｅ，９５Ｅおよび各区画壁９６Ｅは、幅方向Ｗに延びるように形成されており、側壁９４Ｅ，９５Ｅの高さと、区画壁９６Ｅの高さとは、一致または実質的に一致している。
【００５４】
側壁９４Ｅおよび区画壁９６Ｅの間と、各区画壁９６Ｅの間と、区画壁９６Ｅおよび側壁９５Ｅの間には、溝部９９が形成されている。そして、各溝部９９も幅方向Ｗに延びるように形成されている。
【００５５】
そして、複数の溝部９９のうちの１つの溝部９９Ａに、温度センサ８７Ｅが配置されている。温度センサ８７Ｅは、溝部９９Ａを形成する２つの区画壁９６Ｅによって挟みこまれると共に、底板９３Ｅに接着されている。このため、温度センサ８７Ｅが溝部９９Ａ内で位置ずれすることが抑制されている。
【００５６】
閉塞板９２Ｅは、天板１１０Ｅと、側壁１１１Ｅ，１１２Ｅとを含む。天板１１０Ｅは、略長方形形状に形成されており、天板１１０Ｅは、長手方向Ｌに配列する長辺１１３Ｅ，１１４Ｅを含み、各長辺１１３Ｅ，１１４Ｅは幅方向Ｗに延びるように形成されている。
【００５７】
側壁１１１Ｅは、長辺１１３Ｅに接続されており、長辺１１３Ｅから下方に向けて延びるように形成されている。側壁１１２Ｅは、長辺１１４Ｅに接続されており、長辺１１４Ｅから下方に向けて延びるように形成されている。
【００５８】
図７において、閉塞板９２Ｅは、主板９１Ｅの上方から主板９１Ｅを覆うように配置されている。なお、閉塞板９２Ｅの側壁１１１Ｅは側壁９４Ｅの外側面側に配置されており、側壁１１１Ｅは側壁９４Ｅに溶接などされている。
【００５９】
閉塞板９２Ｅの側壁１１２Ｅは、側壁９５Ｅの外側面側に配置されており、側壁１１２Ｅは側壁９５Ｅに溶接などされている。
【００６０】
このように、閉塞板９２Ｅが主板９１Ｅに配置されることで、天板１１０Ｅは、側壁９４Ｅ，９５Ｅの上辺と、各区画壁９６Ｅの上辺と接触する。このように、天板１１０Ｅが、側壁９４Ｅ，９５Ｅと、各区画壁９６Ｅと接触することで、上方に開口する溝部９９Ｅの開口部が閉塞され、冷却通路８８が形成されている。なお、幅方向Ｗの両端において、冷却通路８８は外方に開口している。
【００６１】
ここで、温度センサ８７Ｅが配置された溝部９９Ａにおいても、天板１１０Ｅが配置されることで、冷却通路８８Ａが形成される。
【００６２】
すなわち、冷却通路８８Ａは、温度センサ８７Ｅを収容する収容部であり、冷却板５８Ｅは、温度センサ８７Ｅを収容する収容部としての冷却通路８８Ａを含む。
【００６３】
温度センサ８７Ｅは、冷却通路８８Ａ内において、幅方向Ｗの中央部に配置されている。図２において、各蓄電ユニット５７の外周面は空気に触れているため、充放電時においても温度が高くなり難く、蓄電ユニット５７の中央部は蓄電ユニット５７の外周面と比較して温度が高くなり易い。
【００６４】
その一方で、図６などに示すように、温度センサ８７Ｅも、幅方向Ｗにおいて、冷却板５８Ｅの中央部に配置されているため、蓄電ユニット５７のうち、比較的温度が高くなり易い部分の温度を測定することができる。
【００６５】
上記のように、温度センサ８７Ｅが冷却通路８８Ａ内に取り付けられた冷却板５８Ｅを形成するには、まず、図８に示すように、閉塞板９２Ｅが主板９１Ｅに溶接されていない状態で、溝部９９Ａ内に、温度センサ８７Ｅを挿入する。そして、底板９３Ｅに温度センサ８７Ｅを接着させる。さらに、温度センサ８７Ｅに接続された配線２０を溝部９９Ａ内に沿って配置し、溝部９９Ａの幅方向Ｗ側の端部から外部に引き出す。
【００６６】
その後に、閉塞板９２Ｅを主板９１Ｅに溶接する。このようにして、温度センサ８７Ｅが取付けられた冷却板５８Ｅを簡単に形成することができる。
【００６７】
さらに、溝部９９Ａ内に温度センサ８７Ｅを取り付ける際には、幅方向Ｗに亘って溝部９９Ａのいずれの位置においても、温度センサ８７Ｅを挿入することができ、温度センサ８７Ｅの取り付け位置を適宜設定することができる。このため、幅方向Ｗにおいて溝部９９Ａの中央部に温度センサ８７Ｅを配置することで、幅方向Ｗにおいて冷却通路８８Ａの中央に温度センサ８７Ｅを簡単に配置することができる。
【００６８】
このように、本実施の形態に係る蓄電装置３においては、冷却板５８Ｅに形成された収容部としての冷却通路８８Ａに温度センサ８７Ｅを装着しており、温度センサ８７Ｅを所望の位置に簡単に取り付けることができる。
【００６９】
なお、図５において、各冷却板５８Ａ，５８Ｂ，５８Ｃ，５８Ｄ，５８Ｆ，５８Ｇ，５８Ｈ，５８Ｉは、冷却板５８Ｅと同様に構成されており、各温度センサ８７Ａ，８７Ｂ，８７Ｃ，８７Ｄ，８７Ｆ，８７Ｇ，８７Ｈ，８７Ｉが所望位置に取り付けられた各冷却板５８Ａ，５８Ｂ，５８Ｃ，５８Ｄ，５８Ｆ，５８Ｇ，５８Ｈ，５８Ｉを簡単に形成することができる。
【００７０】
そして、蓄電スタック２５を作成する際には、予め冷却通路（収容部）８８に温度センサ８７Ａ，８７Ｂ，８７Ｃ，８７Ｄ，８７Ｅ，８７Ｆ，８７Ｇ，８７Ｈ，８７Ｉが装着された冷却板５８Ａ，５８Ｂ，５８Ｃ，５８Ｄ，５８Ｅ，５８Ｆ，５８Ｇ，５８Ｈ，５８Ｉを準備しておく。そして、複数の冷却板５８Ａ，５８Ｂ，５８Ｃ，５８Ｄ，５８Ｅ，５８Ｆ，５８Ｇ，５８Ｈ，５８Ｉと、複数の蓄電ユニット５７とを交互に、集電板５５および集電板５６との間で積層することで、蓄電スタック２５を作成することができる。その結果、蓄電装置３を簡単に作成することができる。
【００７１】
（変形例１）
図９は、冷却板５８の第１変形例である冷却板２００を模式的に示す斜視図である。冷却板２００は、アルミニウムや銅などの金属板を曲げて形成されている。
【００７２】
冷却板２００は、上面２０１および下面２０２を含む。上面２０１には、幅方向Ｗに延びる複数の溝部２０４が長手方向Ｌに間隔をあけて形成されている。溝部２０４は、上方に向けて開口するように形成されている。
【００７３】
下面２０２には、幅方向Ｗに延びる溝部２０５が長手方向Ｌに間隔をあけて形成されている。溝部２０５は、下方に向けて開口するように形成されている。そして、長手方向Ｌにおいて、溝部２０４および溝部２０５は交互に配列している。この図９に示す例においては、溝部２０４Ａ内に温度センサ８７が配置されている。
【００７４】
冷却板２００は、複数の側壁２０６と、複数の上壁２０７と、複数の下壁２０８とを含む。
【００７５】
複数の側壁２０６は長手方向Ｌに間隔をあけて配置されている。上壁２０７および下壁２０８は、長手方向Ｌに交互に設けられている。上壁２０７は、長手方向Ｌに隣り合う側壁２０６の上辺同士を接続しており、上壁２０７および２つの側壁２０６によって、溝部２０５が形成されている。下壁２０８は、長手方向Ｌに隣り合う側壁２０６の下辺部を接続しており、下壁２０８および２つの側壁２０６によって、溝部２０４が形成されている。
【００７６】
そして、この図９に示す例においては、温度センサ８７は、溝部２０４Ａ内に配置されている。なお、温度センサ８７を冷却板２００に取り付ける際には、溝部２０４Ａ内において、下壁２０８の上面に温度センサ８７を接着し、配線２０を溝部２０４Ａに沿って引き回して、冷却板２００の外側に引き出す。このように、冷却板２００においても、温度センサ８７を所望位置に簡単に取り付けることができる。なお、この図９に示す例においては、溝部２０４Ａは、温度センサ８７を収容する収容部として機能している。
【００７７】
図１０は、冷却板２００が配置された蓄電スタック２５Ａの一部を模式的に示す側面図である。この図１０に示すように、冷却板２００の上面側に配置された蓄電ユニット５７と、溝部２０４とによって、冷却通路２１０が形成されている。そして、溝部２０４Ａおよび蓄電ユニット５７によって、冷却通路２１０Ａが形成されており、この冷却通路２１０Ａ内に温度センサ８７が配置されている。
【００７８】
冷却板２００の下面側に配置された蓄電ユニット５７と、溝部２０５とによって冷却通路２１１が形成されている。
【００７９】
このように形成された蓄電スタック２５Ａは、温度センサ８７が取付けられた冷却板２００と、蓄電ユニット５７とを交互に積層することで形成することができ、複数の温度センサ８７が取付けられた蓄電スタック２５Ａを容易に形成することができる。
【００８０】
（第２変形例）
図１１は、冷却板の第２変形例である冷却板３００を模式的に示す分解斜視図である。冷却板３００は、冷却板２００と、冷却板２００の上面側に配置された閉塞板３０１と、冷却板２００の下面側に配置された閉塞板３０２とを含む。
【００８１】
冷却板２００は、上記の第１変形例と同様に、上面側に複数の溝部２０４が形成されており、下面側に複数の溝部２０５が形成されており、温度センサ８７は、溝部２０４Ａ内に配置されている。
【００８２】
図１２は、冷却板３００を模式的に示す側面図である。冷却板３００において、冷却板２００に形成された溝部２０４と、閉塞板３０１とによって、複数の冷却通路３１０が形成されており、冷却板２００に形成された溝部２０５と、閉塞板３０２とによって冷却通路３１１が形成されている。このため、この冷却板３００においては、温度センサ８７は、溝部２０４Ａおよび閉塞板３０１によって形成された冷却通路３１０Ａ内に配置されている。すなわち、冷却通路３１０Ａは、温度センサ８７を収容する収容部として機能している。
【００８３】
温度センサ８７が内部に収容された冷却板３００を形成する際には、冷却板２００の溝部２０４Ａ内に温度センサ８７を配置した後、閉塞板３０１および閉塞板３０２を冷却板２００に取り付ける。
【００８４】
このように、冷却通路３１０Ａ内に温度センサ８７が所望位置に配置された冷却板３００を容易に作成することができる。
【００８５】
図１３は、冷却板３００が配置された蓄電スタック２５Ｂの一部を示す側面図である。この図１２に示すように、蓄電スタック２５Ｂは、温度センサ８７が配置された冷却板３００と、蓄電ユニット５７とを順次積層することで形成することができ、蓄電スタック２５Ｂを容易に作成することができる。上述の通り、本実施の形態の蓄電装置は、一方向に向けて配列する複数の蓄電モジュールと、蓄電モジュールの間に配置され、冷媒が流通可能な冷却通路が形成された冷却板と、冷却板に設けられた温度センサと、を備え、冷却板は、溝部が形成された主板を含み、主板は、蓄電モジュールの表面と協働して冷却通路を形成、または、冷却板に設けられた閉塞板と協働して冷却通路を形成しており、温度センサは、溝部内に配置されている。このため、本実施の形態では、冷却板の主板に形成した溝部内に温度センサを挿入するというシンプルな工程で蓄電装置に温度センサを設けることができる。
【００８６】
今回開示された実施の形態はすべての点で例示であって制限的なものではないと考えられるべきである。本発明の範囲は請求の範囲によって示され、請求の範囲と均等の意味および範囲内でのすべての変更が含まれることが意図される。
【符号の説明】
【００８７】
１  蓄電モジュール、２  ベース板、３  蓄電装置、４  送風機、５  冷却ダクト、６  ジャンクションボックス、７  監視ユニット、８  ケース、８ａ  吸気口、８ｂ  供給口、９  ファン、１０，６０，２０２  下面、１１，６１，２０１  上面、１２，１３，６２，６３  端側面、１４，１５，６４，６５  長側面、１６，１７  電力端子、１８，１９  電力配線、２０  配線、２５，２５Ａ，２５Ｂ  蓄電スタック、２６  蓄電ケース、２７，２８  絶縁部材、３０，９３，９３Ｅ  底板、３１，１１０Ｅ  天板、３２，３３  端側板、３４，３５  長側板、４０，４０Ａ，４１，４２，４３  開口部、４５，４６  ボルト、５５，５６  集電板、５７  蓄電ユニット、５８，５８Ａ，５８Ｂ，５８Ｃ，５８Ｄ，５８Ｅ，５８Ｆ，５８Ｇ，５８Ｈ，５８Ｉ，２００，３００  冷却板、７５，７７  電極板、７６，８１，８２  枠体、７８  正極層、７９  負極層、８０  外周縁部、８３  セパレータ、８４  収容空間、８５  蓄電セル、８７，８７Ａ，８７Ｂ，８７Ｃ，８７Ｄ，８７Ｅ，８７Ｆ，８７Ｇ，８７Ｈ，８７Ｉ  温度センサ、８８，８８Ａ，２１０，２１０Ａ，２１１，３１０，３１０Ａ，３１１  冷却通路、９０  通風路、９１Ｅ  主板、９２Ｅ，３０１，３０２  閉塞板、９４Ｅ，９５Ｅ，１１１Ｅ，１１２Ｅ，２０６  側壁、９６Ｅ  区画壁、９７Ｅ，９８Ｅ，１１３Ｅ，１１４Ｅ  長辺、９９，９９Ａ，９９Ｅ，２０４，２０４Ａ，２０５  溝部、１００  フロアパネル、２０７  上壁、２０８  下壁、Ｃ  冷却風、Ｈ  高さ方向、Ｌ  長手方向、Ｗ  幅方向。
【図１】
2019216004.tif 000003
【図２】
2019216004.tif 000004
【図３】
2019216004.tif 000005
【図４】
2019216004.tif 000006
【図５】
2019216004.tif 000007
【図６】
2019216004.tif 000008
【図７】
2019216004.tif 000009
【図８】
2019216004.tif 000010
【図９】
2019216004.tif 000011
【図１０】
2019216004.tif 000012
【図１１】
2019216004.tif 000013
【図１２】
2019216004.tif 000014
【図１３】
2019216004.tif 000015